(57)【要約】【課題】ＳＯＣ情報の表示に伴う不具合の発生を防止するパワーコンディショナおよび蓄電システムを提供する。【解決手段】蓄電池ユニットと、蓄電池ユニットと接続され、前記蓄電池ユニットに対して充放電制御を行うとともに、蓄電池ユニットのＳＯＣ情報を表示させる機能を有するパワーコンディショナとを備える蓄電システムであって、パワーコンディショナから送信されたＳＯＣ情報の更新命令信号に従って、蓄電池ユニットは電流積算値に基づいて推定されたＳＯＣ推定値を開放電圧値に基づいて補正されたＳＯＣ情報に更新し、パワーコンディショナは更新されたＳＯＣ情報を表示させる。【選択図】図４
2020134438.tif 000002
【特許請求の範囲】
【請求項１】
蓄電池ユニットと、
前記蓄電池ユニットと接続され、前記蓄電池ユニットに対して充放電制御を行うとともに、前記蓄電池ユニットのＳＯＣ情報を表示させる機能を有するパワーコンディショナと、
を備える蓄電システムであって、
前記パワーコンディショナから送信された前記ＳＯＣ情報の更新命令信号に従って、前記蓄電池ユニットは電流積算値に基づいて推定されたＳＯＣ推定値を開放電圧値に基づいて補正したＳＯＣ情報に更新し、
前記パワーコンディショナは更新された前記ＳＯＣ情報を表示させることを特徴とする蓄電システム。
【請求項２】
前記パワーコンディショナは、
更新命令送信時刻を設定可能なタイマーと、
前記タイマーで設定された前記更新命令送信時刻になると、前記更新命令信号を前記蓄電池ユニットに送信する送信部と、
前記更新命令信号に従って更新されたＳＯＣ情報を前記蓄電池ユニットから受信する受信部と、
を有する請求項１記載の蓄電システム。
【請求項３】
前記更新命令送信時刻として前記蓄電池ユニットに対する充電開始時刻が前記タイマーにより設定される請求項２記載の蓄電システム。
【請求項４】
前記送信部が、前記蓄電池ユニットに前記更新命令信号を送信した後、前記蓄電池ユニットの充電中に放電開始時刻になると、前記蓄電池ユニットに前記ＳＯＣ情報の更新を取り消す更新命令取消信号を送信する請求項３に記載の蓄電システム。
【請求項５】
前記パワーコンディショナは、
外部から前記ＳＯＣ情報の更新命令信号を受信可能な受信部と、
前記受信部が外部から前記更新命令信号を受信すると、当該更新命令信号を前記蓄電池ユニットに送信する送信部と、
を備え、
前記受信部は、前記更新命令信号に従って更新されたＳＯＣ情報を前記蓄電池ユニットから受信する請求項１記載の蓄電システム。
【請求項６】
前記受信部は、前記蓄電池ユニットに対する充電開始命令信号を前記更新命令信号として受信する請求項５記載の蓄電システム。
【請求項７】
前記送信部が、前記蓄電池ユニットに前記更新命令信号を送信した後、前記蓄電池ユニットの充電中に前記受信部が、外部から放電開始命令信号を受信したときに、前記蓄電池ユニットに前記ＳＯＣ情報の更新を取り消す更新命令取消信号を送信する請求項６に記載のパワーコンディショナ。
【請求項８】
蓄電池ユニットと接続され、前記蓄電池ユニットに対して充放電制御を行うとともに、前記蓄電池ユニットのＳＯＣ情報を表示させる機能を有するパワーコンディショナであって、
前記ＳＯＣ情報の更新命令信号を前記蓄電池ユニットに送信することによって、前記蓄電池ユニットにおいて電流積算値に基づいて推定されたＳＯＣ推定値を開放電圧値に基づいて補正したＳＯＣ情報に更新させるとともに、更新された前記ＳＯＣ情報を表示させることを特徴とするパワーコンディショナ。
【発明の詳細な説明】
【技術分野】
【０００１】
本発明は、パワーコンディショナおよび蓄電システムに関する。
【背景技術】
【０００２】
太陽光等の再生可能エネルギーを利用した太陽電池等の発電装置と蓄電池ユニットとを備えた蓄電システムが知られている。このような蓄電システムにおいては、蓄電池ユニットとして、大容量、低コストのリチウムイオン電池等の二次電池が用いられている。
【０００３】
上記の蓄電システムにおいては、蓄電池ユニットの充電状態を管理する必要がある。ここで、蓄電池ユニットの充電状態の管理は、通常、蓄電池ユニットに流出入する電流の測定積算値に基づいて、ＳＯＣ（Ｓｔａｔｅ  ｏｆ  Ｃｈａｒｇｅ）を推定することにより実行される。
【０００４】
ところで、蓄電池ユニットは、例えば、その内部での化学反応等により、ＳＯＣが低下する。しかしながら、この現象は、蓄電池ユニットの内部反応であって外部への電流の流出入を伴わないため、電流積算値には反映されない。
その結果、内部での化学反応が進むにつれて電流積算値ベースのＳＯＣ推定値と実際のＳＯＣとの乖離が大きくなる。そのため、蓄電池ユニットの開放端電圧値（ＯＣＶ）に基づいてＳＯＣを推定し、これに基づいて電流積算値ベースのＳＯＣ推定値を補正する技術が開示されている（例えば、特許文献１参照）。
【先行技術文献】
【特許文献】
【０００５】
【特許文献１】特開２０１７−１３８１２７号公報
【発明の概要】
【発明が解決しようとする課題】
【０００６】
ここで、ユーザが設定した蓄電池ユニットの残蓄電量（設定残量値）に基づき蓄電池ユニットの放電を停止させる蓄電システムにおいては、蓄電池ユニット側で蓄電池ユニットの電流積算値ベースのＳＯＣ推定値を蓄電池ユニットの開放端電圧値（ＯＣＶ）に基づき補正したＳＯＣ補正値（以下、ＳＯＣ情報と記載する）をパワーコンディショナ側でＳＯＣ表示値として表示する。蓄電池ユニットは、特定のタイミングで、このＳＯＣ情報を更新する更新処理（以下、ＳＯＣ情報更新処理と記載する）を行っている。
そのため、充放電を行わない待機状態に移行したにもかかわらず、ＳＯＣ情報更新処理が実行され、設定残量値に対してＳＯＣ表示値が外れる場合があった。そこで、ＳＯＣ情報更新処理によって、ＳＯＣ表示値が設定残量値以上になる場合には、ＳＯＣ表示値の更新を行わない対策がとられることがあった。
このように対応しても、実際の蓄電池ユニットの蓄電量がＳＯＣ表示値よりも大きいため、電源停止等の不測の事態を回避できるからである。
【０００７】
一方で、ＳＯＣ情報更新処理によって、ＳＯＣ表示値が設定残量値を下回る場合には、そのままＳＯＣ表示値の更新を行っていた。これは、蓄電池ユニットの蓄電量が自然放電により減少するため、ＳＯＣ表示値の更新を実行して表示値が低下しても問題が生じないためである。
【０００８】
しかしながら、ＳＯＣ表示値が設定残量値以上になって、ＳＯＣ表示値の更新を行わなかった場合、蓄電池ユニットの蓄電池電圧とＳＯＣとの間に乖離が生じ、その乖離が蓄積されてしまう。その結果、蓄電池電圧が充電電圧と等しくなると、充電できない状態が発生する等の不具合が生じることがあった。
【０００９】
そこで、本発明は、上述の課題に鑑みてなされたものであり、ＳＯＣ情報の表示に伴う不具合の発生を防止することができるパワーコンディショナおよび蓄電システムを提供することを目的とする。
【課題を解決するための手段】
【００１０】
形態１；本発明の蓄電システムは、蓄電池ユニットと、蓄電池ユニットと接続され、前記蓄電池ユニットに対して充放電制御を行うとともに、前記蓄電池ユニットのＳＯＣ情報を表示させる機能を有するパワーコンディショナとを備える蓄電システムであって、前記パワーコンディショナから送信された前記ＳＯＣ情報の更新命令信号に従って、前記蓄電池ユニットは前記電流積算値に基づいて推定されたＳＯＣ推定値を開放電圧値に基づいて補正したＳＯＣ情報に更新し、前記パワーコンディショナは更新された前記ＳＯＣ情報を表示させることを特徴としている。
本発明の構成によれば、パワーコンディショナから送信された更新命令信号により、蓄電池ユニットにおいて電流積算値に基づいて推定されたＳＯＣ推定値が開放電圧値に基づいて補正したＳＯＣ情報に更新され、更新されたＳＯＣ情報が表示される。
つまり、本発明によれば、蓄電池ユニットが更新を行う特定のタイミングによらず、パワーコンディショナからの更新命令によりＳＯＣ情報の更新処理を実行することができる。これにより、更新によりＳＯＣ表示値が設定残量値以上になるようなタイミングを避けて更新を行うことも可能となり、従前のＳＯＣ表示値の更新を行わないことに伴う不具合の発生を回避することができる。
【００１１】
形態２；ここで、パワーコンディショナは、更新命令送信時刻を設定可能なタイマーと、タイマーで設定された更新命令送信時刻になると、更新命令信号を前記蓄電池ユニットに送信する送信部と、更新命令信号に従って更新されたＳＯＣ情報を前記蓄電池ユニットから受信する受信部とを有してもよい。
この構成によれば、タイマーによって更新命令送信時刻が設定可能となっているので、更新命令送信時刻になると、更新命令信号を蓄電池ユニットに送信し、更新されたＳＯＣ情報を蓄電池ユニットから受信することができる。
【００１２】
形態３；更新命令送信時刻として蓄電池ユニットに対する充電開始時刻をタイマーにより設定することが好ましい。
蓄電池ユニットの放電終了後は、蓄電池電圧が上昇し開放電圧値に基づいて補正したＳＯＣ情報は上方に修正されてしまう。ＳＯＣが上方に修正される場合には、前述したようにＳＯＣ表示値を更新しないことに伴う不具合が発生するおそれがあることから、蓄電池ユニットの放電終了後のタイミングを避けてＳＯＣ情報更新処理を実行することが好ましい。
そこで、更新命令送信時刻として蓄電池ユニットに対する充電開始時刻をタイマーにより設定することにより、放電終了直後のタイミングでＳＯＣ情報更新処理が実行されるのを確実に回避することができる。
そのため、常に、実際の蓄電池ユニットの蓄電量に応じたＳＯＣ情報を取得することができる。なお、充電開始時刻にパワーコンディショナから蓄電池ユニットに更新命令信号が送信されると、蓄電池ユニットは開放電圧値に基づくＳＯＣ情報更新準備状態になり、待機状態（通常は電流が流れていない充電終了後）を経てＳＯＣ情報が更新される。
【００１３】
形態４；また、送信部が、前記蓄電池ユニットにＳＯＣ情報の更新命令信号を送信した後、前記蓄電池ユニットの充電中に放電開始時刻になると、前記蓄電池ユニットにＳＯＣ情報の更新を取り消す更新命令取消信号を送信する。
【００１４】
形態５；また、本発明の蓄電システムは、パワーコンディショナが、外部からＳＯＣ情報の更新命令を受信可能な受信部と、受信部が外部からＳＯＣ情報の更新命令を受信すると、更新命令信号を蓄電池ユニットに送信する送信部とを備え、受信部は、更新命令信号に従って更新されたＳＯＣ情報を蓄電池ユニットから受信してもよい。
この構成によれば、受信部は、仮想発電所等の外部からのＳＯＣ情報の更新命令信号を受信可能となっているので、更新命令信号を受信したときに、当該更新命令信号を蓄電池ユニットに送信し、更新されたＳＯＣ情報を蓄電池ユニットから受信することができる。
【００１５】
形態６；ここで、受信部は蓄電池ユニットに対する充電開始命令信号をＳＯＣ情報の更新命令信号として受信することが好ましい。蓄電池ユニットの放電終了後は、蓄電池電圧が上昇し開放電圧値に基づいて補正したＳＯＣ情報は上方に修正されてしまう。ＳＯＣが上方に修正される場合には、前述したようにＳＯＣ表示値を更新しないことに伴う不具合が発生するおそれがあることから、蓄電池ユニットの放電終了後のタイミングを避けてＳＯＣ情報更新処理を実行することが好ましい。そこで、蓄電池ユニットに対する充電開始命令信号を受信したときに更新処理を実行することで、放電終了直後のタイミングでＳＯＣ情報更新処理が実行されるのを確実に回避することができる。
そのため、常に、実際の蓄電池ユニットの蓄電量に応じたＳＯＣ情報を取得することができる。
なお、蓄電池ユニットに充電開始命令信号が送信されると、蓄電池ユニットは開放電圧値に基づくＳＯＣ情報更新準備状態になり、待機状態（通常は電流が流れていない充電終了後）を経てＳＯＣ情報が更新される。
【００１６】
形態７；また、前記送信部が、前記蓄電池ユニットにＳＯＣ情報の更新命令信号を送信した後、蓄電池ユニットの充電中に前記受信部が、外部から放電開始命令信号を受信したときに、前記蓄電池ユニットにＳＯＣ情報の更新を取り消す更新命令取消信号を送信する。
【００１７】
形態８；本発明のパワーコンディショナは、蓄電池ユニットと接続され、蓄電池ユニットに対して充放電制御を行うとともに、蓄電池ユニットのＳＯＣ情報を表示させる機能を有するパワーコンディショナであって、ＳＯＣ情報の更新命令信号を蓄電池ユニットに送信することによって、蓄電池ユニットにおいて電流積算値に基づいて推定されたＳＯＣ推定値を開放電圧値に基づいて補正したＳＯＣ情報に更新させるとともに、更新されたＳＯＣ情報を表示させることを特徴としている。
本発明のパワーコンディショナによれば、蓄電池ユニットが更新を行う特定のタイミングによらず、パワーコンディショナからの更新命令によりＳＯＣ情報の更新処理を実行することができる。これにより、更新によりＳＯＣ表示値が設定残量値以上になるようなタイミングを避けて更新を行うことも可能となり、従前のＳＯＣ表示値の更新を行わないことに伴う不具合の発生を回避することができる。
【発明の効果】
【００１８】
本発明によれば、ＳＯＣ情報の表示に伴う不具合の発生を防止することができる。また、実際の蓄電池ユニットの蓄電量に応じたＳＯＣ情報を表示させることができる。
【図面の簡単な説明】
【００１９】
【図１】本発明の第１の実施形態に係る蓄電システムの構成図である。
【図２】本発明の第１の実施形態に係るパワーコンディショナの構成図である。
【図３】本発明の第１の実施形態に係る充放電プロファイルを例示した図である。
【図４】本発明の第１の実施形態に係る制御部の処理フロー図である。
【図５】本発明の第２の実施形態に係るパワーコンディショナの構成図である。
【図６】本発明の第２の実施形態に係る充放電プロファイルを例示した図である。
【図７】本発明の第２の実施形態に係る制御部の処理フロー図である。
【発明を実施するための形態】
【００２０】
＜第１の実施形態＞
図１から図４を用いて、本発明の第１の実施形態について説明する。
【００２１】
＜蓄電システムの構成＞
以下、図１を用いて、本実施形態に係る蓄電システム１０の構成について説明する。なお、本実施形態においては、後述する制御部をパワーコンディショナ内に有する構成を例示して説明するが、当該制御部をパワーコンディショナ以外に有する構成であってもよい。
【００２２】
本実施形態にかかる蓄電システム１０は、単機能型蓄電システム（太陽電池に接続される太陽光パワーコンディショナが分離された蓄電システム）、ハイブリッド蓄電システム（太陽光パワーコンディショナと、蓄電池ユニットに接続される蓄電パワーコンディショナと、を一体化した蓄電システム）および多機能型蓄電システム（太陽光パワーコンディショナと蓄電パワーコンディショナと、電気自動車（ＥＶ）、燃料電池自動車等の電動車に接続される充放電回路とを一体化した蓄電システム）のいずれにも対応可能な蓄電システムであり、特に、直流電力を供給する供給源として、太陽電池以外に電動車に搭載された車載蓄電池ユニットや定置型の蓄電池ユニットの複数の供給源が接続される蓄電システムに好適である。ここで、太陽電池を供給源として接続することは任意であり、複数の直流電力供給源が接続されていればよい。
また、直流電力供給源は、水力発電や風力発電など交流発電した電力をコンバータで直流電力に変換して供給するものであってもよい。
【００２３】
本実施形態に係る蓄電システム１０は、図１に示すように、蓄電池システム用ブレーカ１１０と、パワーコンディショナ２００と、定置型蓄電池ユニット２４０と、電動車２６０に接続されるＶ２Ｈ（Ｖｅｈｉｃｌｅ  ｔｏ  Ｈｏｍｅ）スタンド２５０（充放電スタンド）と、太陽電池モジュール（発電装置）３００と、主幹ブレーカ４１０と、分岐ブレーカ４２０と、切替スイッチ４３０と、重要負荷用分岐ブレーカ４４０と、を含んで構成されている。
なお、図１に示すように主幹ブレーカ４１０の商用電力系統側にエネファーム（登録商標）等の商用系統連系機器５００が接続される場合がある。
【００２４】
蓄電池システム用ブレーカ１１０には、商用電力から常時、電力が供給されており、例えば、パワーコンディショナ２００や定置型蓄電池ユニット２４０に異常が発生した場合等に蓄電池システム用ブレーカ１１０が作動して、電路を開放する。
【００２５】
パワーコンディショナ２００は、蓄電池システム用ブレーカ１１０を介して商用電力系統と接続されるとともに、例えば、太陽光により発電する太陽電池モジュール３００等の再生可能エネルギーを利用した発電モジュール、定置型蓄電池ユニット２４０やＶ２Ｈスタンド２５０を介して外部への給電機能を有する電動車２６０と接続可能とされている。
【００２６】
パワーコンディショナ２００は、例えば、太陽光等の再生可能エネルギーにより発電された直流電力（発電電力）および定置型蓄電池ユニット２４０からの直流電力（放電電力）をコンバータにより所定の電圧に変換した後、交流電力に変換するとともに、Ｖ２Ｈスタンド２５０からの直流電力（放電電力）を交流電力に変換する。変換された交流電力は、蓄電池システム用ブレーカ１１０を介して重要負荷および一般負荷に繋がる系統出力に供給可能となっている。
【００２７】
また、太陽電池モジュール３００からの発電電力および／または直流電力に変換された商用電力を充電電力として、コンバータを介して定置型蓄電池ユニット２４０および／またはＶ２Ｈスタンド２５０を介して、電動車２６０に搭載された車載蓄電池ユニット２６１（図２）に充電することが可能となっている。
【００２８】
＜パワーコンディショナの構成＞
パワーコンディショナ２００は、図２に示すように、コンバータ２１１、２１２と、インバータ２２１と、制御部２３０と、情報受信部２３１と、表示部２３２を含んで構成されている。なお、以下の構成は例示であり、同様の機能を果たすことができるものであれば、他の構成であってもよい。
【００２９】
コンバータ２１１は、太陽電池モジュール３００からの直流電力に基づいて所定の直流電圧に昇圧した直流電力に変換する。
【００３０】
コンバータ２１２は、定置型蓄電池ユニット２４０からの直流電力（放電電力）を昇圧した直流電力に変換する。
なお、コンバータ２１２は、インバータ２２１により直流電力に変換された商用電力を所定の直流電圧に変換した直流電力や太陽電池モジュール３００等の他の供給源からの直流電力を充電電力として定置型蓄電池ユニット２４０に供給する双方向コンバータである。
【００３１】
インバータ２２１は、太陽電池モジュール３００の発電電力を含む太陽光等の再生可能エネルギーにより発電された直流電力を交流電力に変換するとともに、定置型蓄電池ユニット２４０あるいは、Ｖ２Ｈスタンド２５０からの直流電力（放電電力）を交流電力に変換する。また、定置型蓄電池ユニット２４０および／または車載蓄電池ユニット２６１を充電するため、商用電力を直流電力に変換する。
【００３２】
制御部２３０は、インバータ２２１および各種コンバータを制御する。また、制御部２３０は、後述する表示部２３２の表示情報を制御する。具体的には、制御部２３０は、定置型蓄電池ユニット２４０または車載蓄電池ユニット２６１（以下、単に「蓄電池ユニット」という）の充放電の開始／終了時刻を設定するタイマーを備える。この実施形態では、タイマー設定に基づき、定置型蓄電池ユニット２４０または車載蓄電池ユニット２６１の充電開始時刻になったときに、制御部２３０は更新命令信号をＣＡＮ（Ｃｏｎｔｒｏｌｌｅｒ  Ａｒｅａ  Ｎｅｔｗｏｒｋ）を介して蓄電池ユニットに送信する。
このように、制御部２３０は本発明の「送信部」に相当する。蓄電池ユニットは、バッテリマネジメントシステム（以下、単に「ＢＭＳ」という）を有しており、更新命令信号を受けたＢＭＳは、電流積算値に基づいて推定されたＳＯＣ推定値を開放電圧値に基づいて補正し、ＳＯＣ補正値（ＳＯＣ情報）を得る。そして、後述する情報受信部２３１が、蓄電池ユニットからＳＯＣ情報を受信し、表示部２３２に受信したＳＯＣ情報に関する表示情報を出力する。
また、制御部２３０は、蓄電池ユニットにＳＯＣ情報の更新命令信号を送信した後に、蓄電池ユニットの充電中に放電開始時刻になると、蓄電池ユニットにＳＯＣ情報の更新を取り消す更新命令取消信号を送信する。
【００３３】
情報受信部２３１は、Ｖ２Ｈスタンド２５０を介して、電動車２６０から車載蓄電池ユニット２６１に関する情報と、Ｖ２Ｈスタンド２５０の動作状況に関する情報と、を含む情報を受信する。
また、情報受信部２３１は、定置型蓄電池ユニット２４０から定置型蓄電池ユニット２４０に関する情報を受信する。蓄電池ユニットからの情報には、更新命令信号に従って更新されたＳＯＣ情報が含まれる。
なお、受信の形態としては、有線あるいは無線のいずれでもよい。
【００３４】
表示部２３２は、パワーコンディショナ２００の本体に限らず、パワーコンディショナ２００の動作を制御する操作用のリモートコントローラ（以下「リモコン」という）に設けられていてもよい。また、パワーコンディショナ２００と通信可能に構成された、リモコン以外の通信デバイスに設けられていてもよい。
【００３５】
＜Ｖ２Ｈスタンドの構成＞
Ｖ２Ｈスタンド２５０は、双方向コンバータ２５１と、Ｖ２Ｈスタンド制御部２５２とを含んで構成されている。双方向コンバータ２５１は、車載蓄電池ユニット２６１からの直流電力（放電電力）を昇圧した直流電力に変換する一方、インバータ２２１により直流電力に変換された商用電力を所定の直流電圧に変換した直流電力や太陽電池モジュール３００等の他の供給源からの直流電力を充電電力として車載蓄電池ユニット２６１に供給する。
なお、これらのコンバータとしては、例えば、昇圧または昇降圧チョッパ型コンバータを例示することができる。
【００３６】
Ｖ２Ｈスタンド制御部２５２は、パワーコンディショナ２００の制御部２３０と通信ケーブルで接続されており、パワーコンディショナ２００の制御部２３０からの制御指令に基づき充放電制御される。
Ｖ２Ｈスタンド制御部２５２は、パワーコンディショナ２００の情報受信部２３１に、車載蓄電池ユニット２６１に関する情報と、Ｖ２Ｈスタンド２５０の動作状況に関する情報と、を含む情報を出力可能となっている。
【００３７】
＜その他の構成について＞
太陽電池モジュール３００は、太陽電池セルが複数配列され、これをガラスや樹脂、フレームで保護したものであり、一般的には、太陽光パネルあるいは太陽電池パネルと呼ばれるものである。
【００３８】
主幹ブレーカ４１０には、商用電力からの出力電力が常時、供給されており、例えば、漏電や過負荷、短絡等の要因で二次側の回路（負荷、電路等）に異常な過電流が流れたときには、主幹ブレーカ４１０が作動して、電路を開放する。なお、主幹ブレーカ４１０は、トリップ機能を備えたブレーカである。
【００３９】
分岐ブレーカ４２０は、一端が主幹ブレーカ４１０と接続されるとともに、他端が、それぞれの一般負荷と接続されている。
【００４０】
切替スイッチ４３０は、商用電力系統出力側と自立出力側とに切替え可能となっている。通常時（商用電力連系時）には、切替スイッチ４３０は自立出力側に接続され、重要負荷には蓄電池システム用ブレーカ１１０およびパワーコンディショナ２００を介して商用電力が供給される。また、一般負荷には主幹ブレーカ４１０を介して商用電力が供給される。
【００４１】
一方、停電時には、商用電力系統とパワーコンディショナ２００とが解列され定置型蓄電池ユニット２４０、Ｖ２Ｈスタンド２５０（車載蓄電池ユニット）および太陽電池モジュール３００の少なくとも１つに基づく電力がパワーコンディショナ２００から重要負荷に供給可能となっている。
また、パワーコンディショナ２００が故障した場合等、蓄電池システム用ブレーカ１１０がオフ状態のときには、切替スイッチ４３０を手動で系統出力側に切り替えることにより、重要負荷には主幹ブレーカ４１０を介して商用電力が供給される。
【００４２】
重要負荷用分岐ブレーカ４４０は、一端が切替スイッチ４３０と接続されるとともに、他端が、それぞれの重要負荷と接続されている。ここで、重要負荷としては、照明、冷蔵庫、空調機器等を例示することができる。
【００４３】
なお、商用系統連系機器５００が系統出力に接続される場合には、当該商用系統連系機器５００からの供給電力を重要負荷および一般負荷に給電することが可能となっている。
【００４４】
＜制御部の処理＞
図３、４を用いて、制御部２３０の具体的な処理について説明する。なお、以下では、蓄電ユニットとして定置型蓄電池ユニット２４０を例示して説明する。また、定置型蓄電池ユニット２４０のプロファイルを図３に示すように、例示して説明する。
【００４５】
制御部２３０は、タイマーにより設定された充電開始時刻になったか否かを判断する（ステップＳ１０１）。そして、制御部２３０が、定置型蓄電池ユニット２４０の充電開始時刻になっていないと判断した場合（ステップＳ１０１の「Ｎｏ」）には、処理を元に戻す。
【００４６】
一方で、制御部２３０は、定置型蓄電池ユニット２４０の充電開始時刻になっていると判断した（例えば、図３において、経済モードの場合には午前１時、グリーンモードの場合には午前６時）場合（ステップＳ１０１の「Ｙｅｓ」）には、コンバータ２１２等（コンバータ２１２および電力供給元のコンバータおよび／またはインバータ）を充電動作させるとともに、定置型蓄電池ユニット２４０に対して、ＳＯＣ情報の更新命令信号（更新コマンド）を送信する（ステップＳ１０２）。
定置型蓄電池ユニット２４０は更新コマンドを受け取ると、開放電圧値に基づくＳＯＣ更新準備状態になり、待機状態（電流が流れていない充電終了後）を経てからＳＯＣ更新処理が実行される。
【００４７】
次に、制御部２３０は、定置型蓄電池ユニット２４０が放電を開始したか否かを判断する（ステップＳ１０３）。すなわち、制御部２３０が定置型蓄電池ユニット２４０に更新コマンドを送信した後に、定置型蓄電池ユニット２４０の充電中に放電開始時刻になったか否かを判断する。そして、制御部２３０が、定置型蓄電池ユニット２４０が放電を開始していないと判断した場合（ステップＳ１０３の「Ｎｏ」）には、定置型蓄電池ユニット２４０からのＳＯＣ情報を受信する（ステップＳ１０４）。
【００４８】
一方で、制御部２３０が、定置型蓄電池ユニット２４０が放電を開始していると判断した場合（ステップＳ１０３の「Ｙｅｓ」）には、定置型蓄電池ユニット２４０に対して、更新命令取消信号（更新取消コマンド）を送信して（ステップＳ１０５）、処理をステップＳ１０１に戻す。更新命令取消信号を受け取った定置型蓄電池ユニット２４０は、ＳＯＣ更新処理を実行しない。
【００４９】
また、制御部２３０は、定置型蓄電池ユニット２４０からのＳＯＣ情報を受信すると、当該ＳＯＣ情報を表示情報として表示部２３２に出力して、表示部２３２に表示情報としてのＳＯＣ情報を表示させる。
【００５０】
以上、説明したように、本実施形態によれば、制御部２３０は、タイマーで設定された充電開始時刻になると、定置型蓄電池ユニット２４０の充電開始時刻になったときに、ＳＯＣ情報の更新命令信号を定置型蓄電池ユニット２４０に送信する。
そして、情報受信部（受信部）２３０が、定置型蓄電池ユニット２４０からＳＯＣ情報（開放電圧値に基づいて補正されたＳＯＣ）を受信し、制御部２３０が表示部２３２にＳＯＣ情報を表示させる。
つまり、本実施形態によれば、定置型蓄電池ユニット２４０が更新を行う特定のタイミングによらず、パワーコンディショナ２００からの更新命令によりＳＯＣ情報の更新処理を実行することができる。これにより、ＳＯＣ表示値が設定残量値以上になるようなタイミングを避けて更新を行うことも可能となり、従前のＳＯＣ表示値の更新を行わないことに伴う不具合の発生を回避することができる。
特に、本実施形態では、更新命令送信時刻として蓄電池ユニットに対する充電開始時刻をタイマーにより設定しているので、放電終了直後のような更新によりＳＯＣ表示値が設定残量値以上になるようなタイミングでＳＯＣ情報更新処理が実行されるのを確実に回避することができる。
【００５１】
また、本実施形態によれば、制御部（送信部）２３０は、定置型蓄電池ユニット２４０にＳＯＣ情報の更新命令信号を送信した後に、定置型蓄電池ユニット２４０の充電中に放電開始時刻になると、定置型蓄電池ユニット２４０にＳＯＣ情報の更新を取り消す更新命令取消信号を送信する。つまり、定置型蓄電池ユニット２４０が放電を開始した後のＳＯＣ情報は、表示情報には適さないため、このような場合には、更新命令そのものを解除する。
【００５２】
＜第２の実施形態＞
図５から図７を用いて、本発明の第２の実施形態について説明する。
【００５３】
＜分散電源システムにおける蓄電システムの構成＞
本実施形態に係る蓄電システムは、電力需要を管理するネットワークを制御する仮想発電所を含む分散電源システムの一部を構成する。
【００５４】
本実施形態に係る蓄電システムは、第１の実施形態にかかる蓄電システム１０に対して、パワーコンディショナ２０１の情報受信部２３１Ａが外部、ここでは仮想発電所（ＶＰＰ）６００からの充放電命令信号（充放電命令コマンド）を受信可能となっている点において異なる。
なお、仮想発電所（ＶＰＰ）６００からの充放電命令信号は、パワーコンディショナ２０１の本体が受信しても、リモコン（表示部）２３２が受信してもよい。
【００５５】
＜パワーコンディショナの構成＞
情報受信部２３１Ａは、仮想発電所６００からの充電命令信号を受信し、仮想発電所６００から充電開始命令信号を受信したときに、ＳＯＣ情報の更新命令信号を蓄電池ユニット（定置型蓄電池ユニット２４０または車載蓄電池ユニット２６１）に送信する。更新命令信号を受けた蓄電池ユニットのＢＭＳは、電流積算値に基づいて推定されたＳＯＣ推定値を開放電圧値に基づいて補正し、ＳＯＣ補正値（ＳＯＣ情報）を得る。そして、情報受信部２３１Ａが蓄電池ユニットからＳＯＣ情報を受信し、表示部２３２に受信したＳＯＣ情報に関する表示情報を出力する。
また、制御部２３０は、蓄電池ユニットにＳＯＣ情報の更新命令信号を送信した後に、仮想発電所６００から放電開始命令信号を受信したときに、蓄電池ユニットにＳＯＣ情報の更新を取り消す更新命令取消信号を送信する。
【００５６】
＜制御部の処理＞
図６、７を用いて、制御部２３０の具体的な処理について説明する。なお、以下では、蓄電ユニットとして定置型蓄電池ユニット２４０を例示して説明する。また、定置型蓄電池ユニット２４０のプロファイルを図６に示すように、例示して説明する。
【００５７】
制御部２３０は、仮想発電所６００からの充電開始命令信号を受信したか否かを判断する（ステップＳ２０１）。そして、制御部２３０が、仮想発電所６００からの充電開始命令信号を受信していないと判断した場合（ステップＳ２０１の「Ｎｏ」）には、処理を元に戻す。
【００５８】
一方で、制御部２３０は、仮想発電所６００からの充電開始命令信号を受信していると判断した場合（ステップＳ２０１の「Ｙｅｓ」）には、コンバータ２１２等（コンバータ２１２および電力供給元のコンバータおよび／またはインバータ）を充電動作させるとともに、定置型蓄電池ユニット２４０に対して、ＳＯＣ情報の更新命令信号（更新コマンド）を送信する（ステップＳ２０２）。
定置型蓄電池ユニット２４０は更新コマンドを受け取ると、開放電圧値に基づくＳＯＣ更新準備状態になり、待機状態（電流が流れていない充電終了後）を経てからＳＯＣ更新処理が実行される。
【００５９】
次に、制御部２３０は、仮想発電所６００からの放電開始命令信号を受信したか否かを判断する（ステップＳ２０３）。すなわち、制御部２３０が定置型蓄電池ユニット２４０に更新コマンドを送信した後に、定置型蓄電池ユニット２４０の充電中に放電開始命令信号を受信したか否かを判断する。
そして、制御部２３０Ａが、仮想発電所６００からの放電開始命令信号を受信していないと判断した場合（ステップＳ２０３の「Ｎｏ」）には、定置型蓄電池ユニット２４０からのＳＯＣ情報を受信する（ステップＳ２０４）。
【００６０】
一方で、制御部２３０が、仮想発電所６００からの放電開始命令信号を受信していると判断した場合（ステップＳ２０３の「Ｙｅｓ」）には、定置型蓄電池ユニット２４０に対して、更新命令取消信号（更新取消コマンド）を送信して（ステップＳ２０５）、処理をステップＳ２０１に戻す。更新命令取消信号を受け取った定置型蓄電池ユニット２４０は、ＳＯＣ更新処理を実行しない。
【００６１】
また、制御部２３０は、定置型蓄電池ユニット２４０からのＳＯＣ情報を受信すると、当該ＳＯＣ情報を表示情報として表示部２３２に出力して、表示部２３２に表示情報としてのＳＯＣ情報を表示させる。
【００６２】
以上、説明したように、本実施形態によれば、制御部２３０は、仮想発電所６００から充電開始命令信号を受信したときに、ＳＯＣ情報の更新命令信号を蓄電池ユニットに送信する。そして、表示部２３２は、蓄電池ユニットから受信したＳＯＣ情報（開放電圧値に基づいて補正されたＳＯＣ）を表示する。
つまり、本実施形態によれば、定置型蓄電池ユニット２４０が更新を行う特定のタイミングによらず、パワーコンディショナ２０１からの更新命令によりＳＯＣ情報の更新処理を実行することができる。
これにより、ＳＯＣ表示値が設定残量値以上になるようなタイミングを避けて更新を行うことも可能となり、従前のＳＯＣ表示値の更新を行わないことに伴う不具合の発生を回避することができる。
特に、本実施形態では、仮想発電所６００等の外部からの充電開始命令を受信したタイミングで更新命令信号を蓄電池ユニットに送信しているので、放電終了直後のような更新によりＳＯＣ表示値が設定残量値以上になるようなタイミングでＳＯＣ情報更新処理が実行されるのを確実に回避することができる。
【００６３】
また、本実施形態によれば、制御部（送信部）２３０は、蓄電池ユニットにＳＯＣ情報の更新命令信号を送信した後に、仮想発電所６００から放電開始命令信号を受信したときに、蓄電池ユニットにＳＯＣ情報の更新を取り消す更新命令取消信号を送信する。つまり、定置型蓄電池ユニット２４０が放電を開始した後のＳＯＣ情報は、表示情報には適さないため、このような場合には、更新命令そのものを解除する。
【００６４】
以上、この発明の実施形態および実施例につき、図面を参照して詳述してきたが、具体的な構成はこの実施形態あるいは実施例に限られるものではなく、この発明の要旨を逸脱しない範囲の設計等も含まれる。
【符号の説明】
【００６５】
１０；蓄電システム
１１０；蓄電池システム用ブレーカ
１３０；主幹ブレーカ
２００、２０１；パワーコンディショナ
２１１；コンバータ
２１２；双方向コンバータ
２２１；インバータ
２３０；制御部
２３１、２３１Ａ；情報受信部
２４０；定置型蓄電池ユニット
２５０；Ｖ２Ｈスタンド
２５１；双方向コンバータ
２５２；Ｖ２Ｈスタンド制御部
２６０；電動車
２６１；車載蓄電池ユニット
３００；太陽電池モジュール
４１０；主幹ブレーカ
４２０；分岐ブレーカ
４３０；切替スイッチ
４４０；重要負荷用分岐ブレーカ
５００；商用系統連系機器
６００；仮想発電所
【図１】
2020134438.tif 000003
【図２】
2020134438.tif 000004
【図３】
2020134438.tif 000005
【図４】
2020134438.tif 000006
【図５】
2020134438.tif 000007
【図６】
2020134438.tif 000008
【図７】
2020134438.tif 000009